(57)【要約】【課題】空気を通過させる風路を確保しながら、その風路を発光させることで、機器本体の正面のほとんどを発光させ、機器の異常、あるいは運転状態といった重要な情報を確実に使用者に報知する。【解決手段】吸込パネル２３の側面に設けた光源２４により反射板２５を照射して間接発光させるとともに、この反射板２５は開口部２７を設け、かつ複数の桟状の反射面２６を有する構成としているので、この開口部２７に空気流２８を通過させることができる。すなわち、風路全面を発光させることができるので、従来機器の隅に設けた液晶で知らせていた機器の異常や運転状態といった重要な情報を、確実に使用者に報知することができる。【選択図】  図１
2004271073.tif 000002
【特許請求の範囲】
【請求項１】
光源と、この光源から照射された光を受けて反射し、間接発光する複数の桟状の反射面を有する反射板とを備え、前記反射板はそれぞれの反射面と反射面の間に空気流を通過させる開口部を設けた発光ユニット。
【請求項２】
光源と、この光源から照射された光を受けて反射し、間接発光する複数の桟状の反射面及び前記反射面と反射面の間に空気流を通過させる開口部を有する反射板と、前記反射板を設けた機器の動作に対応して前記光源を制御する制御手段とを備えた発光ユニット。
【請求項３】
前記反射板は、その反射面を光源に向けるように傾斜して配置した請求項１または２記載の発光ユニット。
【請求項４】
前記反射板の反射面は、凸形状に形成した請求項１〜３のいずれか１項記載の発光ユニット。
【請求項５】
前記反射板の凸形状にした反射面は、前記凸形状の先端曲げＲを最小とし、反射面のほとんどを平面部分で構成した請求項４記載の発光ユニット。
【請求項６】
前記反射面の先端角度は、反射面の光源とは反対側に位置する平面部分にも光源からの光を受ける範囲で形成した請求項１〜５のいずれか１項記載の発光ユニット。
【請求項７】
前記反射板は、その材質に表面の粗い材料を使用し、光源からの光を拡散させるようにした請求項１〜６のいずれか１項記載の発光ユニット。
【請求項８】
前記反射板は、その前面側に空気流を通過させる多数のスリット孔を有するフロントパネルを設け、このフロントパネルの裏面には反射面を形成し、光源の反射面とした請求項１〜７のいずれか１項記載の発光ユニット。
【請求項９】
前記反射板の反射面は、フロントパネルのスリット孔のそれぞれに対向する位置に設けた請求項８記載の発光ユニット。
【請求項１０】
前記反射板の反射面は、フロントパネルのスリット孔のそれぞれに対向する位置に設けるとともに、それぞれの反射面と反射面との間にも、さらに反射面を設けた請求項８または９記載の発光ユニット。
【請求項１１】
前記反射板は、反射面を配置する間隔を不等ピッチにした請求項１〜１０のいずれか１項記載の発光ユニット。
【請求項１２】
前記光源は、反射板に光を照射する互いに対向する２箇所に設けた請求項１〜１１のいずれか１項記載の発光ユニット。
【請求項１３】
請求項１〜請求項１２のいずれか１項に記載した発光ユニットを機器本体の前面に設けてなる空調機器。
【発明の詳細な説明】
【０００１】
【発明の属する技術分野】
本発明は、空気流を通過させ且つ、該部位を間接発光し得る発光ユニット及びこの発光ユニットを備えた空調機器に関するものである。
【０００２】
【従来の技術】
機器本体の前面パネルに空気流を通過させる装置としてエアコンや空気清浄機などの空調装置があり、例えば従来のこの種の空気清浄機は図１０に示すようなものが一般的であった（特許文献１参照）。
【０００３】
この空気清浄機１は、本体ハウジング２およびその前面に嵌合した前面パネル３を有している。本体ハウジング２内には、モ−タ（図示せず）およびモ−タにより回転させる送風ファン（図示せず）が備えられており、送風ファンにより前面パネル３より室内の汚れた空気が吸い込まれ、清浄化された後に本体ハウジング２の上面の吹出グリル４から吹き出される。そして、空気の清浄化は主に本体ハウジング２内に収納されたイオン化・集塵ユニット６により行われる。
【０００４】
本体ハウジング２は、その前面下方に液晶表示部５が備えられており、ここに機器の動作状態やフィルタ交換時期などを表示し、使用者に報知せしめていた。
【０００５】
しかしながら、上記従来の空気清浄機等の空調装置では次のような課題があった。
【０００６】
１．従来使用される液晶などの表示部には、空気を通過させることができず、従って空気清浄機やエアコンの前面のほとんどを占有する空気取入口に広く配置することができず、機器の隅に設けるのが一般的であった。
【０００７】
２．また、近年表示部の見易さが各種機器で重要視され、空気清浄機やエアコンの液晶表示部も大型化してきてはいるが、機器全体のサイズから見れば遥かに小さく、機器の運転状況などの報知効果にも限界がある。
【０００８】
３．液晶は高価であるため、あまり大型化すると機器のコストが著しく増え原価面での負担が大きい。
【０００９】
【特許文献１】
特開２００２−１４３２９号公報
【００１０】
【発明が解決しようとする課題】
上記従来の技術の問題点に鑑み、本発明が解決しようとする課題は、広範囲の表示が可能で、かつ明確に行えるようにした採光ユニットおよびこの採光ユニットを備えた空調機器を提供することにある。
【００１１】
【課題を解決するための手段】
上記課題を解決するために本発明は、光源と、この光源から照射された光を受けて反射し、間接発光する複数の桟状の反射面を有する反射板とを備え、前記反射板はそれぞれの反射面と反射面の間に空気流を通過させる開口部を設けた発光ユニットである。
【００１２】
また本発明は、光源と、この光源から照射された光を受けて反射し、間接発光する複数の桟状の反射面及び前記反射面と反射面の間に空気流を通過させる開口部を有する反射板と、前記反射板を設けた機器の動作に対応して前記光源を制御する制御手段とを備えた発光ユニットである。
【００１３】
上記前者の手段によれば、反射板は開口部により空気流を通過させ、一方で開口部を構成する反射面により光源の光を反射させ、該部位を間接発光させることができるので、複数の反射面、開口部の並んだ一部位で複数の機能を果たすことができるとともに、空気の流通を妨げることなく間接発光面を大きくできて表示等を明確に行うことができる。
【００１４】
上記後者の手段によれば、例えば空調機器は、異常時、例えば機器の性能を著しく損なうフィルタ−の埃詰まり時に、空気の通過を妨げないから、その面を含む広範囲な反射面を発光して、使用者に掃除が必要である旨を報知したり、機器が備える各モ−ド毎に発光させる光源の色を変化させる等して、従来の小さな液晶による表示に比較して遥かに確実で、かつ明確に使用者へ機器の運転状態を報知することができる。
【００１５】
【発明の実施の形態】
上記した本発明の目的は、各請求項に記載した構成を実施の形態とすることにより達成できるので、以下には各請求項に記載の構成にその構成による作用効果を併記し併せて請求項記載の構成のうち説明を必要とする特定用語については詳細な説明を加えて本発明の実施の形態とする。
【００１６】
請求項１記載に係る発明は、光源と、この光源から照射された光を受けて反射し、間接発光する複数の桟状の反射面を有する反射板とを備え、前記反射板はそれぞれの反射面と反射面の間に空気流を通過させる開口部を設けた発光ユニットである。
【００１７】
上記実施の形態によれば、反射板は複数の桟状の反射面により、光源からの光を反射し、一方、間接発光した複数の反射面間の開口部が空気流を通過させるので、複数の反射面、開口部の並んだ一部位で、空気の通過と間接発光の複数の機能を果たすことが可能になり、また空気の流通を妨げないから間接発光面を大きくできて表示等を明確に行うことが可能になる。
【００１８】
請求項２記載に係る発明は、光源と、この光源から照射された光を受けて反射し、間接発光する複数の桟状の反射面及び前記反射面と反射面の間に空気流を通過させる開口部を有する反射板と、前記反射板を設けた機器の動作に対応して前記光源を制御する制御手段とを備えた発光ユニットである。
【００１９】
上記実施の形態によれば、請求項１記載の発明と同様の作用効果が得られるのはもちろん、さらに制御手段により光源を機器の動作に対応して制御できるので、例えば空調機器において、性能を著しく損なうフィルタ−の埃詰まり時に空気の通過する面を含むことで広範囲の反射面を発光して、使用者に掃除が必要である旨を報知したり、機器が備える各モ−ド毎に発光させる光源の色を変化させる等して確実で、かつ明確に使用者へ機器の運転状態を報知することが可能になる。
【００２０】
請求項３記載に係る発明は、請求項１または２記載の発光ユニットにおいて、反射板は反射面を光源に向けるように傾斜して配置したもので、反射板の光源に向けるように傾斜させた反射面により、光源から照射される光をより多く反射することができ、反射板が間接発光する照度を増すことができる。
【００２１】
請求項４記載に係る発明は、請求項１〜３のいずれか１項記載の発光ユニットにおいて、反射板の反射面は凸形状に形成したもので、反射板の凸形状の反射面により、凸形状でない平面状態の反射面に比較し光源に対して反射面が向き、光源から照射される光をより多く反射することができ、反射板が間接発光する照度を増すことができる。
【００２２】
請求項５記載に係る発明は、請求項４記載の発光ユニットにおいて、反射板の凸形状にした反射面は、凸形状の先端曲げＲを最小とし、反射面のほとんどを平面部分で構成したものである。
【００２３】
上記実施の形態によれば、反射面を凸形状に形成する時に、全体的に半円状に成形するのではなく、先端曲げＲを最小として反射面のほとんどを平面部分で構成しているので、反射面のほぼ全面で光源からの光を反射でき反射板が間接発光する照度を増すことができる。
【００２４】
請求項６記載に係る発明は、請求項１〜５のいずれか１項記載の発光ユニットにおいて、反射面の先端角度は、反射面の光源とは反対側に位置する平面部分にも光源からの光を受ける範囲で形成したものである。
【００２５】
上記実施の形態によれば、反射面の光源とは反対側に位置する平面部分にも光源からの光を受けることができるため、特に光源が１つで反射板に対して左右どちらか一方からの光しか照射されない場合には、実際に間接発光する反射面を大きくとることができ照度を増すことができる。
【００２６】
請求項７記載に係る発明は、請求項１〜６のいずれか１項記載の発光ユニットにおいて、反射板はその材質に表面の粗い材料を使用し、光源からの光を拡散させるようにしたもので、一般に反射板の材質をステンレスのような鏡面材料とした場合には光源の光の反射にムラが大きく出るが、表面の粗い材料、例えば溶融アルミニウムめっき鋼板を使用することで反射する光は拡散され、反射ムラを緩和することができる。
【００２７】
請求項８記載に係る発明は、請求項１〜７のいずれか１項記載の発光ユニットにおいて、反射板はその前面側に空気流を通過させる多数のスリット孔を有するフロントパネルを設け、このフロントパネルの裏面には反射面を形成し、光源の反射面としたものである。
【００２８】
上記実施の形態によれば、光源からの光が反射板の反射面でフロントパネルの裏面側に反射し、そしてフロントパネルの裏面から反射した光が反射板の反射面により反射して再度、フロントパネルの裏面側に反射することの繰り返しにより、確実に反射板の反射面全体が間接発光して、フロントパネルのスリット孔より放射され、例えばフロントパネルが機器本体の前面であれば機器本体の前面全体に放射でき、しかも光源が片側だけであっても反射のムラを緩和して均一に間接発光させやすく、また間接発光の照度も向上し、光源の点灯効果を向上させることができる。
【００２９】
請求項９記載に係る発明は、請求項８記載の発光ユニットにおいて、反射板の反射面は、フロントパネルのスリット孔のそれぞれに対向する位置に設けたもので、フロントパネルのスリット孔に対向する反射板の反射面により、光源からの光は反射され、確実にフロントパネルのスリット孔を通過して使用者の視覚に入ることができる。
【００３０】
請求項１０記載に係る発明は、請求項８または９記載の発光ユニットにおいて、反射板の反射面はフロントパネルのスリット孔のそれぞれに対向する位置に設けるとともに、それぞれの反射面と反射面との間にも、反射面を設けたものである。
【００３１】
上記実施の形態によれば、請求項８記載に係る実施の形態ではフロントパネルの前方において見る方向を横に移動して行き、斜めから発光状態を見た場合に、フロントパネルの桟と反射面が重なり反射光が視覚に入らない部分が生じる。そこで、本実施の形態では、反射面の数を増やし反射面配置のピッチを詰めることで、発光ユニットの斜め前方から見た場合でも、フロントパネルのそれぞれのスリット孔からは、いずれかの反射面が視認できることになり、全面で発光しているように見せることができる。
【００３２】
請求項１１記載に係る発明は、請求項１〜１０のいずれか１項記載の発光ユニットにおいて、反射板は反射面を配置する間隔を不等ピッチにしたもので、間隔が不等ピッチの反射面により、請求項９記載の実施の形態と同様に発光ユニットの斜め前方から見た場合でも、フロントパネルの桟と反射面が重なって反射光が視覚に入らない部分が生じることなく、フロントパネルのそれぞれのスリット孔からは、いずれかの反射面が視認できることになり、全面で発光しているように見せることができる。
【００３３】
請求項１２記載に係る発明は、請求項１〜請求項１１のいずれか１項に記載した発光ユニットにおいて、反射板に光を照射する光源は、２箇所において互いに対向する位置に設けたもので、対向する２ヶ所の光源から反射板を照射することにより、反射板の間接的な発光はより明るくなり、表示を一層明確にでき、例えば機器の異常、あるいは運転状態の報知を明確にできる。
【００３４】
請求項１３記載に係る発明は、請求項１〜請求項１２のいずれか１項に記載した発光ユニットを、機器本体の前面に設けてなる空調機器で、機器本体の広範囲の前面で間接発光の表示を明確にでき、かつ広範囲の機器本体の前面での空気の流通を確保でき、極めて使い勝手の良い空調機器を提供できることになる。
【００３５】
【実施例】
以下、本発明の実施例について図面を用いて説明する。
【００３６】
（実施例１）
図１は、本発明の実施例１における発光ユニットを搭載した空気清浄機の構成を示す分解斜視図で、図２および図３は同発光ユニットの要部の横断面図で、図４は同発光ユニットの要部の分解斜視図で、図５は同発光ユニットの要部の横断面図である。
【００３７】
図１から図５において、空気清浄機の機器本体２１は、その前面の下部を除く大半の前面上部に空気清浄ユニット２２を配置し、さらに空気清浄ユニット２２の前側に位置して枠体である吸込パネル２３を機器本体２１の大半の前面上部に嵌合させて設けている。吸込パネル２３の片側の側面には、開口部２３ａを設け、この開口部２３ａに縦一列に複数の光源２４を設けている。
【００３８】
反射板２５は、吸込パネル２３である枠体に嵌合する大きさの枠体に、縦方向の複数の桟である反射面２６を設けるとともに、これにより反射面２６間に複数の開口部２７を形成している。そして、反射板２５は吸込パネル２３の片側の側部に位置する光源２４に対して、反射面２６を向けるように傾斜させて吸込パネル２３内に配置している。
【００３９】
反射板２５の反射面２６は、図２に示すように成形により凸形状に形成し、その凸形状は曲げＲを最小にして反射面２６のほとんどが平面部２６ａを多くとれるように加工してあり、さらに、その先端角度θ°は図３に示すように光源２４からの光３１が、反射面２６の光源２４とは反対側に位置する平面部分２６ａにも照射されるように範囲を大きくしてある。さらに反射板２５は、光源２４からの光３１を反射する際の拡散を目的として材質に表面の粗い材料、例えば溶融アルミニウムめっき鋼板を使用してある。
【００４０】
２８は送風ファン（図示せず）によって機器本体２１内部に吸込まれた室内空気で、２９は空気清浄ユニット２２により清浄化された清浄空気、３０は機器本体２１の前面下部に設けた吹出口で、機器本体２１の前面は吸込パネル２３と吹出口３０で全面を構成することになる。３１は光源２４からの光である。３２は光源２４を固定する取付け具である。
【００４１】
３３は吸込パネル２３の前面において、反射板２５に対向して配置したフロントパネルで、機器本体２１の前面を構成するものであって、空気流通用の多数のスリット孔３３ａを設け、さらに裏面には光３１を反射する塗装が施してある。そして、フロントパネル３３のスリット孔３３ａと反射板２５の反射面２６は、図５に示すように相対的な関係の基で、それぞれ相対向する位置に配置してある。
【００４２】
３４は反射板２５を設けた機器本体２１の動作（運転状態）に対応して光源２４を制御する制御手段で、マイクロコンピュータおよびその周辺回路からなり、機器本体２１の基本的な運転を操作部（図示せず）の指示により制御する以外に、運転状態に対応して光源２４を制御するシーケンスを実行するプログラムを格納している。
【００４３】
上記実施例において、操作部の指示による制御手段３４により機器本体２１を運転すると、送風ファン（図示せず）が回転する。そして、室内空気２８はフロントパネル３３のスリット孔３３ａより吸込パネル２３内に吸引され、さらに反射板２５における反射面２６の間の開口部２７を通過し、空気清浄ユニット２２によって清浄された後、機器本体２１を通って下部の吹出口３０から清浄空気２９となって室内に供給される。
【００４４】
一方、制御手段３４により機器本体２１が運転に入ると、制御手段３４に制御されて光源２４が点灯する。そして、光源２４からの光３１は、反射面２６で反射され、フロントパネル３３のスリット孔３３ａより機器本体２１の前面である正面に放射される。
【００４５】
従って、本実施例では吹出口３０を除く機器本体２１の前面が反射面２６の間接発光により明るく照明され、運転状態を機器本体２１の略前面で表示し、離れた位置からも明確に確認できるものである。
【００４６】
また特に本実施例では、反射面２６は図２に示すように凸形状に形成し、その凸形状は曲げＲを最小にして平面部分２６ａが多くとれるように加工してあるので、反射面２６の表面のうち、光源２４に対して角度を大きく持つ部分を多くできるので反射した光３１を機器本体２１の正面方向に十分に放射できる。すなわち、より明るく間接発光させることができる。
【００４７】
さらに、本実施例のように光源２４が、１つで反射板２５における片側の側部の左右いずれか一方にしかない光源の場合は、図３に示すように反射面２６の凸形状の先端角度θ°を大きくとってあるので、光源２４からの光３１が反射面２６の光源２４とは反対側の面にも照射され、凸形状に形成した反射面２６の全面を間接発光させることができる。
【００４８】
また、反射板２５はその材質をステンレスのような鏡面材料とした場合には光源２４の光３１の反射にムラが大きく出るが、表面の粗い材料、例えば溶融アルミニウムめっき鋼板を使用することで反射する光３１は拡散され、反射ムラを緩和し反射板２５の全体を均一に発光させることができる。
【００４９】
また、フロントパネル３３の裏面には光を反射する塗装を施してあり、光源２４からの光３１が反射板２５の反射面２６でフロントパネル３３の裏面側に反射し、この反射光はフロントパネル３３の裏面で反射板２５側に反射されて再度、反射面２６でフロントパネル３３側に反射することの繰り返しにより、確実に反射板２５の全体が間接発光して、フロントパネル３３のスリット孔３３ａより機器本体２１の前面全体に放射でき、しかも光源２４が本実施例の如く片側であっても反射のムラを緩和して反射板２５を均一に間接発光させやすく、また間接発光の照度も向上し、光源２４の点灯効果を増やすことができる。
【００５０】
さらに反射板２５の反射面２６は、フロントパネル３３が有するスリット孔３３ａのそれぞれに対向する位置に設けてあるので、反射面２６で反射した光源２４からの光３１はそれぞれ確実にフロントパネル３３のスリット孔３３ａを通過して確実に機器本体２１の正面である前面全体に照射することができ、光源２４の点灯効果を増すことができる。
【００５１】
このように、機器本体２１は空気清浄の本来の運転を行いながら、その空気吸込み部分である吸込パネル２３の前面全体を間接発光させることで、従来の機器でなされていた機器の異常、あるいは運転状態の報知をより確実に行うことができる。すなわち、従来、液晶表示部のような機器本体の前面の僅かなスペースに設けた表示部によって報知していたのとは違い、機器本体２１の前面の大部分の面積である吸込パネル２３の前面全体を用いて実施できることになり、その報知効果は明確になり、格段に向上できる。
【００５２】
以上のように本実施例は、空気を通過させる風路を確保しながら、その風路その物を発光させることができるので、空気清浄機やエアコンのように表面のほとんどを占有する空気取入口にも広く配置でき、機器表面のほとんどを発光させることができる。従って、従来機器の隅に設けた液晶で知らせていた機器の異常や運転状態といった重要な情報を、確実に使用者に報知することができる。
【００５３】
また、本実施例の発光ユニットを広範囲に設けた場合でも、光源は例えばＬＥＤ、反射板は板金、あるいは樹脂に反射性の塗装やメッキを施したものを配置すれば良く、比較的安価に実現できる。
【００５４】
なお、上記実施例で制御手段３４は機器本体２１を運転した時に光源を点灯し、停止時に消灯する制御を実施しているが、その目的からして、これに限定されるものではなく、機器本体２１の異常、エアコンであれば冷房、除湿等の各モ−ド毎に発光させる光源の色を変化させる等の種々の制御が考えられる。
【００５５】
（実施例２）
図６は本発明の実施例２における発光ユニットの要部の横断面図で、図７は図６に示す発光ユニットとの比較のために示した発光ユニットの要部の横断面図である。本実施例は、反射板の反射面の構成に特徴が有り、実施例１と同一構成並びに同一の作用効果を奏する部分には同じ符号を付して詳細な説明を省略し、異なる部分を中心に説明する。
【００５６】
吸込パネル２３内に設けた反射板２５の反射面２６は、フロントパネル３３に設けたスリット孔３３ａのそれぞれに相対向する位置に配設するとともに、それぞれの反射面２６と反射面２６との間にも、さらに反射面２６を設けた構成としている。
【００５７】
上記実施例において、図７に示したように反射面２６をフロントパネル３３に設けたスリット孔３３ａのそれぞれに相対向する位置に配設しただけでは、機器本体２１の前方の斜めから見る視線４０を横方向に移動して行き、斜め方向から反射板２５の発光状態を見た場合に、フロントパネル３３の桟３３ｂと反射面２６が重なり反射光３１が視覚に入らない部分が生じる。
【００５８】
そこで本実施例では、反射面２６の数を増やし反射面２６を配置するピッチを詰めることで、機器本体２１に対して斜め前方から見た場合でも、図６に示すようにフロントパネル３３のそれぞれのスリット孔３３ａからは、いずれかの反射面２６が視認できる。すなわち、全面で発光しているように見せることができる。
【００５９】
（実施例３）
図８は本発明の実施例３における発光ユニットの要部の横断面図である。本実施例は、反射板の反射面の構成に特徴が有り、実施例１と同一構成並びに同一の作用効果を奏する部分には同じ符号を付して詳細な説明を省略し、異なる部分を中心に説明する。
【００６０】
吸込パネル２３内に設けた反射板２５の反射面２６は、反射面２６を配置する間隔を不等ピッチにした構成としている。
【００６１】
上記実施例において、実施例２で説明したような機器本体２１の斜め前方から機器本体２１の前面の発光状態を見た場合でも、フロントパネル３３の桟３３ｂと反射面２６が重なった光３１が視野に入らない部分が生じることなく、フロントパネル３３のそれぞれのスリット孔３３ａからは、いずれかの反射面２６が視認できる。すなわち、反射板２５の全面で発光しているように見せることができる。
【００６２】
（実施例４）
図９は、本発明の実施例４における発光ユニットの要部の横断面図である。本実施例は、光源の構成に特徴が有り、実施例１と同一構成並びに同一の作用効果を奏する部分には同じ符号を付して詳細な説明を省略し、異なる部分を中心に説明する。
【００６３】
光源２４は、吸込パネル２３において、反射板２５の片側だけではなく、２ヶ所である両側に相対向して縦方向へ２列に配置している。
【００６４】
上記実施例において、光源２４は吸込パネル２３の両側である２ヶ所から反射板２５を照射するので、反射板２５の間接的な発光はより明るくなり、機器本体２１の異常、あるいは運転状態の報知を、さらに確実に実現できる。
【００６５】
【発明の効果】
以上説明したように本発明は、空気の流通を確保し、かつ間接発光面を大きくすることができ、表示等を明確に行うことができる。
【図面の簡単な説明】
【図１】本発明の実施例１における発光ユニットを搭載した空気清浄機を示す分解斜視図
【図２】同発光ユニットの要部の横断面図
【図３】同発光ユニットの要部の横断面図
【図４】同発光ユニットの要部の分解斜視図
【図５】同発光ユニットの要部の横断面図
【図６】本発明の実施例２における発光ユニットの要部の横断面図
【図７】図６に示す発光ユニットとの比較のために示した発光ユニットの要部の横断面図
【図８】本発明の実施例３における発光ユニットの要部の横断面図
【図９】本発明の実施例４における発光ユニットの要部の横断面図
【図１０】従来の空気清浄機の概略分解斜視図
【符号の説明】
２１  機器本体
２４  光源
２５  反射板
２６  反射面
２６ａ  平面部分
２７  開口部
３３  フロントパネル
３３ａ  スリット孔
３４  制御手段
【図１】
2004271073.tif 000003
【図２】
2004271073.tif 000004
【図３】
2004271073.tif 000005
【図４】
2004271073.tif 000006
【図５】
2004271073.tif 000007
【図６】
2004271073.tif 000008
【図７】
2004271073.tif 000009
【図８】
2004271073.tif 000010
【図９】
2004271073.tif 000011
【図１０】
2004271073.tif 000012